(57)【要約】【課題】簡単な工法で作業者の墜落事故を防止し、安価に点検が実施可能な太陽電池モジュール固定装置を得ること。【解決手段】太陽電池モジュール固定装置は、傾斜面に固定されて太陽電池モジュール２を傾斜面における傾斜面に沿った上下方向から挟んで支持する複数の架台３と、太陽電池モジュール２を架台３に固定する太陽電池モジュール固定部１０と、ロープが取り付けられるロープ取り付け部と、を備えることを特徴とする。これにより、簡単な工法で作業者の墜落事故を防止し、安価に点検が実施可能な太陽電池モジュール固定装置が得られる。【選択図】図２
2018145657.tif 000002
【特許請求の範囲】
【請求項１】
傾斜面に固定されて太陽電池モジュールを前記傾斜面における前記傾斜面に沿った上下方向から挟んで支持する複数の架台と、
前記太陽電池モジュールを前記架台に固定する太陽電池モジュール固定部と、
ロープが取り付けられるロープ取り付け部と、
を備えることを特徴とする太陽電池モジュール固定装置。
【請求項２】
前記ロープ取り付け部が、前記太陽電池モジュールの上面から突出する突出面を有して前記太陽電池モジュール固定部に固定されたロープ取り付け金具の前記突出面に設けられていること、
を特徴とする請求項１に記載の太陽電池モジュール固定装置。
【請求項３】
前記ロープ取り付け金具は、前記太陽電池モジュール固定部とともに前記架台に固定されていること、
を特徴とする請求項２に記載の太陽電池モジュール固定装置。
【請求項４】
前記ロープ取り付け部は、前記突出面に孔が設けられて構成されていること、
を特徴とする請求項２または３に記載の太陽電池モジュール固定装置。
【請求項５】
前記ロープ取り付け金具は、前記傾斜面における上部側に位置する前記太陽電池モジュール固定部において１箇所以上に固定されていること、
を特徴とする請求項２から請求項４のいずれか１つに記載の太陽電池モジュール固定装置。
【請求項６】
前記ロープ取り付け部が、前記太陽電池モジュール固定部に設けられていること、
を特徴とする請求項１に記載の太陽電池モジュール固定装置。
【請求項７】
前記ロープ取り付け部は、前記太陽電池モジュール固定部に１箇所以上の孔が形成されて構成されていること、
を特徴とする請求項６に記載の太陽電池モジュール固定装置。
【請求項８】
前記ロープ取り付け部は、前記太陽電池モジュール固定部の一部が前記太陽電池モジュールの上面から突出して屈曲した１箇所以上の屈曲部を有して構成されていること、
を特徴とする請求項６に記載の太陽電池モジュール固定装置。
【請求項９】
前記ロープ取り付け部は、前記傾斜面における上部側に位置する前記太陽電池モジュール固定部において１箇所以上に設けられていること、
を特徴とする請求項６から請求項８のいずれか１つに記載の太陽電池モジュール固定装置。
【請求項１０】
前記ロープ取り付け部が、前記架台に設けられていること、
を特徴とする請求項１に記載の太陽電池モジュール固定装置。
【請求項１１】
前記ロープ取り付け部は、前記架台において前記傾斜面から突出した側面に１箇所以上の孔を有して構成されていること、
を特徴とする請求項１０に記載の太陽電池モジュール固定装置。
【請求項１２】
前記ロープ取り付け部は、前記傾斜面における上部側に位置する前記架台において１箇所以上に設けられていること、
を特徴とする請求項１０または１１に記載の太陽電池モジュール固定装置。
【請求項１３】
前記架台は太陽電池モジュールのフレームから張り出したフランジを載置する保持面を有し、
前記太陽電池モジュール固定部は、
前記フランジの上方に設置されて前記架台の上部を覆う架台カバーと、
前記フランジと前記架台カバーの間に配置された上側固定部品と、
前記フランジの下側に配置された下側固定部品と、
前記架台カバーと前記上側固定部品と前記フランジと前記下側固定部品とを固定する締結部品と、
を備えることを特徴とする請求項１から請求項１２のいずれか１つに記載の太陽電池モジュール固定装置。
【請求項１４】
複数の太陽電池モジュールと、
請求項１から請求項１１のいずれか１つに記載の太陽電池モジュール固定装置と、
を備えることを特徴とする太陽電池システム。
【請求項１５】
複数の太陽電池モジュールと、請求項１から請求項１１のいずれか１つに記載の太陽電池モジュール固定装置と、を備える太陽電池システムの点検方法であって、
第１のロープの両端を２つの前記ロープ取り付け部に取り付け、前記第１のロープに取り付けられた安全帯を用いて前記傾斜面上において前記太陽電池システムの点検を行うこと、
を特徴とする太陽電池システムの点検方法。
【請求項１６】
複数の太陽電池モジュールと、請求項１から請求項１１のいずれか１つに記載の太陽電池モジュール固定装置と、を備える太陽電池システムの点検方法であって、
第１のロープの両端を２つの前記ロープ取り付け部に取り付け、前記第１のロープに第２のロープの一端側を取り付け、前記第２のロープに取り付けられた安全帯を用いて前記傾斜面上において前記太陽電池システムの点検を行うこと、
を特徴とする太陽電池システムの点検方法。
【請求項１７】
複数の太陽電池モジュールと、請求項１から請求項１１のいずれか１つに記載の太陽電池モジュール固定装置と、を備える太陽電池システムの点検方法であって、
第１のロープの一端側を前記ロープ取り付け部に取り付け、前記第１のロープに取り付けられた安全帯を用いて前記傾斜面上において前記太陽電池システムの点検を行うこと、
を特徴とする太陽電池システムの点検方法。
【発明の詳細な説明】
【技術分野】
【０００１】
本発明は、複数の太陽電池モジュールを設置するために用いられる太陽電池モジュール固定装置、複数の太陽電池モジュールと太陽電池モジュール固定装置とを備えてなる太陽電池システム、および太陽電池システムの点検方法に関する。
【背景技術】
【０００２】
太陽電池システムは、一般的に住宅およびビルの屋根または屋上に設置され、特に住宅に設置される場合は、傾斜した屋根面に設置される場合が多い。太陽電池システムでは、太陽電池モジュール固定装置によって太陽電池モジュールが設置面に固定される。傾斜した屋根面に設置された太陽電池システムでは、太陽電池モジュールまたは太陽電池モジュール固定装置の点検を行う場合には、屋根の上で作業を行う必要がある。このため、点検を行う場合は、作業者の墜落といった労働災害の防止のために墜落防止対策が実施されている。
【０００３】
墜落防止対策としては、非特許文献１に、「親綱と安全器の組合せ工法」、「水平親綱と子綱（安全ブロック）の組合せ工法」、「親綱と安全ブロックの組合せ工法」、「地上からの親綱設置先行工法」が示されている。
【先行技術文献】
【非特許文献】
【０００４】
【非特許文献１】公益社団法人  日本保安用品協会、独立行政法人  労働安全衛生総合研究所  屋根・建物からの墜落防止のための検討委員会、「補修工事等における屋根・建物からの墜落防止工法及び関連器具について」、平成２４年３月
【発明の概要】
【発明が解決しようとする課題】
【０００５】
しかしながら、上記非特許文献１に示された墜落防止工法は、親綱の一端を地上等の堅固な建物に連結する、棟に支柱を取り付け支柱間に水平親綱を設置する、または軒先にフック金具を引掛けロープを十字状に設置する、といった処置が必要であり、いずれも、親綱、ロープの設置に時間を要し、且つ点検範囲が限定されたり、地上での監視が必要な場合があった。このため、非特許文献１に示された墜落防止工法を用いる場合は、人件費といった費用によって点検費用が増大していた。
【０００６】
本発明は、上記に鑑みてなされたものであって、簡単な工法で作業者の墜落事故を防止し、安価に点検が実施可能な太陽電池モジュール固定装置を得ることを目的とする。
【課題を解決するための手段】
【０００７】
上述した課題を解決し、目的を達成するために、本発明にかかる太陽電池モジュール固定装置は、傾斜面に固定されて太陽電池モジュールを傾斜面における傾斜面に沿った上下方向から挟んで支持する複数の架台と、太陽電池モジュールを架台に固定する太陽電池モジュール固定部と、ロープが取り付けられるロープ取り付け部と、を備えることを特徴とする。
【発明の効果】
【０００８】
本発明によれば、簡単な工法で作業者の墜落事故を防止し、安価に点検が実施可能な太陽電池モジュール固定装置が得られる、という効果を奏する。
【図面の簡単な説明】
【０００９】
【図１】本発明の実施の形態１にかかる太陽電池システムが住宅に設置された状態を模式的に示す斜視図
【図２】本発明の実施の形態１にかかる太陽電池システムの分解斜視図であり、斜め上方から見た分解斜視図
【図３】本発明の実施の形態１にかかる太陽電池モジュール固定装置の側面図
【図４】本発明の実施の形態１にかかる太陽電池モジュール固定装置の分解側面図
【図５】本発明の実施の形態１にかかるロープ固定構造を説明する模式図
【図６】本発明の実施の形態１にかかる太陽電池システムにおけるロープ取り付け金具の他の例を示す分解斜視図
【図７】本発明の実施の形態１にかかる太陽電池システムにおけるロープ取り付け金具の他の例を示す分解斜視図
【図８】本発明の実施の形態１にかかる太陽電池システムにおけるロープ取り付け金具の他の例を示す分解斜視図
【図９】本発明の実施の形態２にかかる太陽電池システムが住宅に設置された状態を模式的に示す斜視図
【図１０】本発明の実施の形態３にかかる太陽電池システムが住宅に設置された状態を模式的に示す斜視図
【図１１】本発明の実施の形態４にかかる太陽電池システムが住宅に設置された状態を模式的に示す斜視図
【図１２】本発明の実施の形態５にかかる太陽電池システムの架台カバーを模式的に示す斜視図
【図１３】本発明の実施の形態５にかかる太陽電池システムにおける架台カバーの他の例を示す斜視図
【図１４】本発明の実施の形態５にかかる太陽電池システムにおける架台カバーの他の例を示す斜視図
【図１５】本発明の実施の形態６にかかる太陽電池システムにおける架台を屋根棟部から見た側面図
【図１６】本発明の実施の形態６にかかる太陽電池システムにおける架台の他の例を示す側面図
【発明を実施するための形態】
【００１０】
以下に、本発明の実施の形態にかかる太陽電池モジュール固定装置、太陽電池システムおよび太陽電池システムの点検方法を図面に基づいて詳細に説明する。なお、この実施の形態によりこの発明が限定されるものではない。
【００１１】
実施の形態１．
図１は、本発明の実施の形態１にかかる太陽電池システム１が住宅に設置された状態を模式的に示す斜視図である。図２は、本発明の実施の形態１にかかる太陽電池システム１の分解斜視図であり、斜め上方から見た分解斜視図である。図３は、本発明の実施の形態１にかかる太陽電池モジュール固定装置１４の側面図である。図４は、本発明の実施の形態１にかかる太陽電池モジュール固定装置１４の分解側面図である。
【００１２】
図１から図４に示される実施の形態１にかかる太陽電池システム１は、方形の平板形状に構成された光発電機能体である複数の太陽電池モジュール２と、複数の太陽電池モジュールを住宅７の屋根面８に敷き並べて設置する太陽電池モジュール固定装置１４と、を備える。すなわち、太陽電池システム１は、太陽電池モジュール固定装置１４を用いて、複数の太陽電池モジュール２が、住宅７の屋根面８に縦横に敷き並べて固定されたものである。
【００１３】
ここで、横方向とは、水平方向であり図中のＸ方向である。縦方向とは、屋根の傾斜に沿って屋根の軒側から屋根の棟側に向かう方向であり、傾斜面に沿った傾斜面の上下方向、すなわち屋根面８に沿った屋根面８の上下方向ともいう。縦方向における下側は、屋根面８における軒側である。縦方向における上側は、屋根面８における棟側である。太陽電池モジュール２は、一例として、外形寸法が横１６６０ｍｍ、縦８６０ｍｍの大きさの長方形状を有し、屋根の上に図１に示すように横６列、縦４段に並べられる。なお、太陽電池モジュール２の大きさおよび縦横に並べる数については、屋根における設置場所の大きさに合わせて自由に選択できる。
【００１４】
太陽電池モジュール２は、図２に示すように、方形の平板形状に構成された光発電機能体である太陽電池パネル２０１と、アルミニウムといった材料から構成されて太陽電池パネル２０１において対向する一対の辺に装着されたフレーム２０２と、を備える。
【００１５】
なお、太陽電池パネル２０１は、方形の平板形状に構成された構造であれば、どのような構成であってもよい。太陽電池パネル２０１には、電気的に接続された複数の太陽電池セルが内蔵されている。太陽電池パネル２０１に使用される太陽電池セルは、単結晶シリコン太陽電池、多結晶シリコン太陽電池といった結晶系太陽電池を用いた太陽電池パネルであればいずれの太陽電池セルを使用することが可能である。また、太陽電池パネル２０１は、透明な表面保護基板上に薄膜系太陽電池が形成されたものであってもよい。
【００１６】
フレーム２０２は、図４に示すように、フレーム２０２の側面であって太陽電池パネル２０１の厚み方向に沿って延在するフレーム側面２０６と、フレーム側面２０６の中間付近から太陽電池パネル２０１の面方向に沿って外側に張り出して架台３のフランジ保持面３０２に載置されるフランジ２０３と、フレーム側面２０６の上端部から太陽電池パネル２０１の面方向に沿って内側に張り出して太陽電池モジュール２の上面となる上側フレーム２０５と、フレーム側面２０６の下端部から太陽電池パネル２０１の面方向に沿って内側に張り出して太陽電池モジュール２の下面となり架台３の下側フレーム保持面３０３に載置される下側フレーム２０４と、を有する。
【００１７】
太陽電池モジュール固定装置１４は、水平面と既定の角度をなして傾斜した傾斜面である住宅７の屋根面８に固定されて複数の太陽電池モジュール２を屋根面８における屋根面８に沿った上下方向から挟んで支持する複数の架台３と、複数の太陽電池モジュール２を架台３に固定する太陽電池モジュール固定部１０と、太陽電池モジュール２の上面から突出して、ロープ６が取り付けられるロープ取り付け部であるロープ取り付け金具４と、を備える。
【００１８】
架台３は、断面凸型の形状を有する中空形状のアルミウム製の部品であり、屋根面８に横方向に固定される。水平面と既定の角度をなして傾斜した傾斜面である住宅７の屋根面８に設置される。
【００１９】
架台３は、図中のＸ方向である横方向に太陽電池モジュール２の横幅×太陽電池モジュール２の横方向配列数の長さに相当する長さを有する。一例として、太陽電池モジュール２の横幅が１６６０ｍｍであり、太陽電池モジュール２の横方向配列数が６列である場合には、架台３の横幅は９９６０ｍｍ程度の長さを有する。
【００２０】
架台３は、縦方向、すなわち屋根面８における屋根面８に沿った上下方向において、住宅７の屋根面８に設置された太陽電池モジュール２のうちの最下段に位置する太陽電池モジュール２の下側の位置、すなわち軒側の位置と、太陽電池モジュール２の間の位置と、住宅７の屋根面８に設置された太陽電池モジュール２のうちの最上段の太陽電池モジュール２の上側の位置、すなわち棟側の位置と、に設置される。一例として、縦方向において４段の太陽電池モジュール２が設置された構成の場合には、屋根面８に５段の架台３が設置される。
【００２１】
架台３は、太陽電池モジュール２のフランジ２０３を載置するフランジ保持面３０２と、架台３の内壁に設けられ、フランジ保持面３０２に対向して設けられたガイドレール３０１と、太陽電池モジュール２の下側フレーム２０４を載置する下側フレーム保持面３０３と、屋根面８の上面に接して架台固定ネジ用孔が設けられた架台フランジ３０４と、を有する。フランジ保持面３０２の中央部には、締結部品９を通すための孔が設けられている。架台３は屋根面８の上に配置され、架台固定ネジ３０５で屋根面８に固定される。
【００２２】
太陽電池モジュール固定部１０は、架台３の上部に設けられて架台３を覆う架台カバー１１と、架台３の内壁に設けられたガイドレール３０１とフランジ保持面３０２との間に挿通され、中央部にネジ孔が設けられた、架台３と太陽電池モジュール２のフランジ２０３とを挟んで固定するための下側固定部品１２と、中央部にネジ孔が設けられ、架台３と太陽電池モジュール２のフランジ２０３とを挟んで固定するための上側固定部品１３と、下側固定部品１２とロープ取り付け金具４との間に架台３と太陽電池モジュール２のフランジ２０３と上側固定部品１３と架台カバー１１とを挟んで下側固定部品１２のネジ孔で固定するボルトまたは小ネジといった部品からなる締結部品９と、を備える。なお、ここでの上部および上側は、傾斜面に垂直な方向における傾斜面から離れる方向、すなわち、屋根面８に垂直な方向における屋根面８から離れる方向に対応する。また、ここでの下側は、傾斜面に垂直な方向における傾斜面に近づく方向、すなわち、屋根面８に垂直な方向における屋根面８に近づく方向に対応する。以下、屋根面８に垂直な方向を垂直方向、屋根面８に垂直な方向における屋根面８から離れる方向を垂直方向上側、屋根面８に垂直な方向における屋根面８に近づく方向を垂直方向下側と呼ぶ場合がある。
【００２３】
最上段の太陽電池モジュール２を架台３に固定する太陽電池モジュール固定部１０である架台カバー１１について、図３および図４を用いて説明する。
【００２４】
架台３の垂直方向上側には、架台３を覆って外観を向上させるための架台カバー１１が設けられる。架台カバー１１は、架台３を覆う架台カバー上面１１２と、架台カバー上面１１２の両端に架台カバー上面１１２とほぼ直角に突出する架台カバーリブ１１３と、を有する。架台カバー１１の上側、すなわち屋根面８の棟側の架台カバーリブ１１３には、フランジ２０３に相当する厚みを有するスペーサ部１１１が設けられており、架台３に太陽電池モジュール２を取り付けたときに架台カバー１１が傾かないようにしてある。
【００２５】
架台カバー１１における図中のＸ方向である横方向の長さが、太陽電池モジュール２の横幅の長さとほぼ等しい長さを有する。また、架台カバー１１における縦方向の幅は、太陽電池モジュール２を屋根面８上に敷き並べた際に隣り合う太陽電池モジュール２の上側フレーム２０５同士の間の幅とほぼ等しい幅を有する。架台カバー１１の材質は、軽くて加工が容易でさびにくい材料として、アルミニウムが用いられる。
【００２６】
また、屋根面８に沿った上下方向において上から２段目以降の太陽電池モジュール２の間も最上段と同様の構造で設置されるが、最上段とは異なり、架台カバー１１に設けられたスペーサ部１１１は不要である。したがって、屋根面８に沿った上下方向において上から２段目以下の太陽電池モジュール２の間には、スペーサ部１１１を取り除いた構造を有する、間架台カバー１１４が用いられる。なお、本発明においては、架台カバー１１と間架台カバー１１４は特に区別することなく単に架台カバー１１と称する。また、最下段の架台カバー１１は、最上段の架台カバー１１と同じものを使用する。
【００２７】
垂直方向において、太陽電池モジュール２のフランジ２０３の上に上側固定部品１３と架台カバー１１とを積み重ねたときに、架台カバー１１の上面と太陽電池モジュール２の上側フレーム２０５の上面とは、ほぼ等しい高さとなるように構成される。なお、架台カバー１１および間架台カバー１１４には、締結部品９が貫通するための架台カバー取り付け孔１１５が設けられている。
【００２８】
つぎに、ロープ取り付け金具４について説明する。ロープ取り付け金具４は、実施の形態１では、最上段の架台３に固定された架台カバー１１における長手方向の両端側の２箇所に太陽電池モジュール固定部１０と別体で設けられる。ロープ取り付け金具４は、太陽電池システム１における何処の位置に設けるかは任意である。ただし、ロープ取り付け金具４を用いて太陽電池モジュール２または太陽電池モジュール固定装置１４の点検を実施する趣旨に鑑みれば、ロープ取り付け金具４は、最上段の架台３における長手方向の両端側２箇所もしくは最上段の架台３における長手方向の中央の１箇所、またはこの両者を組み合わせた２箇所または３箇所に設けられることが好ましい。
【００２９】
ロープ取り付け金具４は、強度があり耐候性および美観に優れたアルミニウム板がＬ形状に折り曲げられて構成されている。ロープ取り付け金具４は、底面４ａに締結部品９が貫通可能な孔を有する。また、ロープ取り付け金具４は、側面４ｂには、ロープ６が貫通するロープ取り付け部を構成するロープ取り付け孔４ｃである丸孔を有する。側面４ｂは、架台カバー１１に取り付けられた際にロープ取り付け孔４ｃにロープ６を通せるように、太陽電池モジュール２の上面から垂直方向上側に突出するように設けられている。
【００３０】
ロープ取り付け金具４は、前述の架台カバー１１、上側固定部品１３および下側固定部品１２とともに、太陽電池モジュール２を固定する締結部品９で架台３に固定される。ロープ取り付け金具４は、締結部品９によって太陽電池モジュール固定部１０とともに取り付けられるため、取り付け作業が非常に容易である。また、太陽電池システム１の施工時にあらかじめ取り付けられるため、点検作業時の作業負荷を低減できる。なお、太陽電池システム１では、架台カバー１１、上側固定部品１３、下側固定部品１２および締結部品９によって太陽電池モジュール固定部１０を構成する。ロープ取り付け金具４を取り付けない箇所も前述と同様の構造で架台カバー１１、上側固定部品１３、下側固定部品１２によって太陽電池モジュール２を締結部品９で架台３に固定される。
【００３１】
図５は、本発明の実施の形態１にかかるロープ固定構造を説明する模式図である。つぎに、上記のように構成された太陽電池システム１における太陽電池モジュール２または太陽電池モジュール固定装置１４の点検方法を、図１および図５を参照して説明する。
【００３２】
図１および図２に示すように、太陽電池システム１の最上部に配置された架台カバー１１、すなわち最上段の架台３に固定された架台カバー１１における長手方向の両端側の２箇所には、締結部品９を用いてロープ取り付け金具４が固定されている。太陽電池モジュール２または太陽電池モジュール固定装置１４の点検を実施する際は、第１のロープである親綱６０１と第２のロープである子綱６０２とが用いられる。
【００３３】
まず図５に示すようにロープ取り付け部に親綱６０１であるロープ６が固定される。親綱６０１の一端側は、２つのロープ取り付け金具４のうちの一方のロープ取り付け金具４のロープ取り付け部に固定される。親綱６０１の他端側は、他方のロープ取り付け金具４のロープ取り付け部に固定される。親綱６０１の一端側および他端側の先端部には、ロープ取り付け金具４のロープ取り付け部に親綱６０１を固定するためのロープ固定金具６０３が取り付けられている。
【００３４】
親綱６０１の一端側は、一方のロープ取り付け金具４におけるロープ取り付け部であるロープ取り付け孔４ｃに通され、さらに親綱６０１の一端側の先端部に取り付けられたロープ固定金具６０３の孔に通される。そして、親綱６０１の他端側が引っ張られることで、親綱６０１の一端側がロープ取り付け部に固定される。また、親綱６０１の他端側についても、同様にして他方のロープ取り付け金具４のロープ取り付け部に固定される。
【００３５】
本実施の形態１では、ロープ固定金具６０３には、カラビナと呼ばれる専用金具が用いられる。ただし、ロープ固定金具６０３は、カラビナに限らずロープを固定できれば他の形状を有する部品でもよい。また、単に親綱６０１の一端側をロープ取り付け部に縛ることで親綱６０１の一端側がロープ取り付け部に固定されてもよい。
【００３６】
つぎに、２つのロープ取り付け金具４のロープ取り付け部に固定された親綱６０１の中間部に、伸縮調節器６０４を用いて子綱６０２であるロープ６が取り付けられる。そして、屋根面８で太陽電池モジュール２または太陽電池モジュール固定装置１４の点検を実施する作業者は、作業者が装着した図示しない安全帯を子綱６０２に直接取り付けて点検作業を実施する。すなわち、本実施の形態１にかかる太陽電池システムの点検方法では、親綱６０１の両端を２つのロープ取り付け金具４に取り付け、親綱６０１に第２のロープである子綱６０２の一端側を取り付け、子綱６０２に取り付けられた安全帯を用いて屋根面８上において点検作業を実施する。これにより、作業者は、屋根面８で安全に太陽電池モジュール２または太陽電池モジュール固定装置１４の点検を実施することができ、屋根面８からの墜落事故を防止できる。
【００３７】
また、安全帯は、２つのロープ取り付け金具４のロープ取り付け部に固定された親綱６０１の中間部に直接取り付けられてもよい。すなわち、第１のロープである親綱６０１の両端を２つのロープ取り付け部であるロープ取り付け金具４に取り付け、親綱６０１に取り付けられた安全帯を用いて傾斜面である屋根面８上において点検作業を実施してもよい。この場合も、伸縮調節器６０４を用いた場合と同様に、作業者は、屋根面８で安全に太陽電池モジュール２または太陽電池モジュール固定装置１４の点検を実施することができ、屋根面８からの墜落事故を防止できる。
【００３８】
また、親綱６０１に取り付けた安全帯または伸縮調節器６０４を移動させることにより、屋根面８のいずれの場所にも容易に移動することができ点検範囲が限定されることがないため、屋根面８での点検作業が極めて容易に実施できる。また、屋根面８のみに親綱６０１または子綱６０２を取り付けるため、点検作業時における地上での監視が不要となり、地上での監視に要する人件費の削減を図ることができる。なお、伸縮調節器６０４および安全帯は、ＪＩＳ  Ｔ８１６５  「安全帯」に規定されるものを使用することができる。
【００３９】
図６から図８は、本発明の実施の形態１にかかる太陽電池システム１におけるロープ取り付け金具４の他の例を示す分解斜視図である。図６に示すロープ取り付け金具４１は、図２に示すロープ取り付け金具４と同様の形状を有するが、図２に示すロープ取り付け金具４とは取り付け方向が異なる。図６に示すようにＬ形状の側面４ｂが屋根面８における上部から下部に沿った状態で、すなわち屋根面８における縦方向に沿って取り付けられる。
【００４０】
ロープ取り付け金具４には、親綱６０１により下向きの力が加わる。そして、ロープ取り付け金具４では、Ｌ形状における折り曲げ部に側面４ｂを更に折り曲げる方向の応力が掛かる。一方、ロープ取り付け金具４１では、Ｌ形状における折り曲げ部に側面４ｂを更に折り曲げる方向の応力が掛かることが無いため、ロープ取り付け金具４１の強度が向上する、という効果がある。
【００４１】
図７に示すロープ取り付け金具４２は、Ｌ形状のうち側面４ｂの上部がＲ形状とされている。これにより、ロープ取り付け金具４２は、親綱６０１を取り付けるロープ取り付け部に角部がなくなるため、親綱６０１が取り付け易くなる、という効果がある。
【００４２】
図８に示すロープ取り付け金具４は、ＪＩＳ  Ｂ１１６８に規定されるアイボルト９ａを使用したものである。アイボルト９ａは締結部品９の機能を有しているため、アイボルト９ａをロープ取り付け金具４として用いる場合には締結部品９が不要となる。これにより、締結部品９が不要となるとともに、規格化された製品を使用することができ、ロープ取り付け金具４の調達が容易になる、という効果がある。
【００４３】
以上説明したロープ取り付け金具４の材質は、耐候性および強度が仕様を満足できれば特に材質を問わないが、価格を考慮した場合には、サビ止めといった表面処理を行った鉄またはアルミニウムによって構成されることがより好ましい。
【００４４】
上述したように、本実施の形態１にかかる太陽電池システム１では、ロープ６が取り付けられるロープ取り付け部であるロープ取り付け金具４を備える。ロープ取り付け金具４は、締結部品９によって太陽電池モジュール固定部１０とともに取り付けられるため、取り付け作業が非常に容易である。そして、ロープ取り付け金具４に親綱６０１を取り付け、親綱６０１に子綱６０２と安全帯を取り付けることによって、作業者は、屋根面８で安全に太陽電池モジュール２または太陽電池モジュール固定装置１４の点検を実施することが可能となる。また、ロープ取り付け金具４に親綱６０１を取り付け、親綱６０１に直接、安全帯を取り付けることによって、作業者は、屋根面８で安全に太陽電池モジュール２または太陽電池モジュール固定装置１４の点検を実施することが可能となる。したがって、本実施の形態１にかかる太陽電池システム１では、簡単な工法で作業者の墜落事故を防止し、安価に太陽電池システム１の点検が実施できる。
【００４５】
実施の形態２．
図９は、本発明の実施の形態２にかかる太陽電池システムが住宅に設置された状態を模式的に示す斜視図である。本実施の形態２にかかる太陽電池システムが、実施の形態１にかかる太陽電池システム１と異なる点は、ロープ取り付け金具４が、太陽電池システムの最上部に配置された架台カバー１１、すなわち最上段の架台３に固定された架台カバー１１における長手方向の中央領域の位置に設けられている点である。ロープ取り付け金具４の取り付け方法は、実施の形態１の場合と同様である。
【００４６】
太陽電池モジュール２または太陽電池モジュール固定装置１４の点検を実施する際は、安全帯が取り付けられた親綱６０１がロープ取り付け金具４のロープ取り付け部に固定される。屋根面８で太陽電池モジュール２または太陽電池モジュール固定装置１４の点検を実施する作業者は、作業者が装着した安全帯を親綱６０１に直接取り付けて点検作業を実施する。すなわち、本実施の形態２にかかる太陽電池システムの点検方法では、第１のロープである親綱６０１の一端側をロープ取り付け部であるロープ取り付け金具４に取り付け、親綱６０１に取り付けられた安全帯を用いて傾斜面である屋根面８上において点検作業を実施する。これにより、作業者は、屋根面８で安全に太陽電池モジュール２または太陽電池モジュール固定装置１４の点検を実施することができ、屋根面８からの墜落事故を防止できる。
【００４７】
本実施の形態２にかかる太陽電池システムでは、ロープ取り付け金具４を太陽電池システムの最上部に配置された架台カバー１１における１箇所のみに設置すればよいため、太陽電池システムの施工時におけるロープ取り付け金具４の取り付け作業の軽減およびコスト低減が可能である。ただし、本実施の形態２にかかる太陽電池システムでは、図９においてハッチングを施した部分の屋根面８の点検は多少困難となる。
【００４８】
実施の形態３．
図１０は、本発明の実施の形態３にかかる太陽電池システムが住宅に設置された状態を模式的に示す斜視図である。本実施の形態３にかかる太陽電池システムが、実施の形態１にかかる太陽電池システム１と異なる点は、ロープ取り付け金具４が太陽電池システムの最上部に配置された架台３に固定された架台カバー１１、すなわち最上段の架台３に固定された架台カバー１１における長手方向の端部側と中央領域の位置とに設けられている点である。なお、ロープ取り付け金具４の取り付け方法は、実施の形態１と同様であるので説明を省略する。
【００４９】
本実施の形態３では、ロープ取り付け金具４を架台カバー１１における長手方向の端部側と中央領域の位置とに設けたため、親綱６０１の長さが短くなり、親綱６０１をロープ取り付け金具４に取り付ける作業が容易となる効果、および親綱６０１のコスト低減効果が得られる。本実施の形態３にかかる太陽電池システムは、あらかじめ点検する太陽電池モジュール２または太陽電池モジュール固定装置１４の範囲がわかっている場合において効果が高い。ただし、本実施の形態３にかかる太陽電池システムでは、図１０においてハッチングを施した部分の屋根面８の点検は多少困難となる。
【００５０】
実施の形態４．
図１１は、本発明の実施の形態４にかかる太陽電池システムが住宅に設置された状態を模式的に示す斜視図である。図１１に示される住宅７の屋根面８の形状は、寄棟と言われる形状であり、屋根面８の底面部の軒部より屋根面８の上部の棟部の長さが短くなった屋根形状である。この場合も、たとえば台形形状を有する屋根面８に、実施の形態１の場合と同様に太陽電池システムを配置することができる。
【００５１】
ロープ取り付け金具４は、実施の形態１の場合と同様に、太陽電池システムの最上部に配置された架台３に固定された架台カバー１１、すなわち最上段の架台３に固定された架台カバー１１における長手方向の両端側の２箇所に設けられる。本実施の形態４では、太陽電池システム１も屋根面８の形状と同様に台形形状に配置される。このため、最上段の架台３が最下段の架台３より短いが、作業者は、点検可能範囲を狭めることなく、屋根面８で安全に太陽電池モジュール２または太陽電池モジュール固定装置１４の点検を実施することができ、屋根面８からの墜落事故を防止できる。
【００５２】
実施の形態５．
図１２は、本発明の実施の形態５にかかる太陽電池システムの架台カバー１１を模式的に示す斜視図である。本実施の形態５にかかる太陽電池システムが、実施の形態１にかかる太陽電池システム１と異なる点は、ロープ取り付け金具４を備えず、ロープ取り付け部が架台カバー１１に設けられている点である。本実施の形態５にかかる太陽電池システムは、ロープ取り付け金具４を備えず、ロープ取り付け部が架台カバー１１に設けられている点以外は、実施の形態１にかかる太陽電池システム１と同じ構成を有するため、図１２では、架台カバー１１のみを示している。
【００５３】
本実施の形態５にかかる太陽電池システムは、ロープ取り付け部が架台カバー１１に構成されていることで、ロープ取り付け金具４が不要となり、ロープ取り付け金具４の取り付け作業が不要となり、太陽電池システムの組み立て作業の軽減、およびロープ取り付け金具４のコスト削減が可能である。
【００５４】
架台カバー１１は、太陽電池モジュール２を実施の形態１の場合と同様の取り付け方法によって取り付けられるが、架台カバー１１を架台３へ取り付ける方法は、架台カバー取り付け孔１１５を用いて締結部品９にて固定する。上記以外の架台カバー１１の取り付け方法は、すなわち、上から２段目以下の太陽電池モジュール２の間に用いられる間架台カバー１１４の取り付け方法は、実施の形態１と同様である。
【００５５】
実施の形態５にかかる架台カバー１１には、長手方向の端部側および中央領域にロープ取り付け部を構成するロープ取り付け孔１１６が設けられて、架台カバー１１にロープ取り付け部が設けられている。架台カバー１１において、端部側では、ロープ取り付け部を構成する１１６孔を１箇所に設け、中央領域ではロープ取り付け孔１１６を２箇所設けている。
【００５６】
親綱６０１の一端側は、端部側のロープ取り付け孔１１６に通され、さらに親綱６０１の一端側の先端部に取り付けられたロープ固定金具６０３の孔に通される。そして、親綱６０１の他端側が引っ張られることで、親綱６０１の一端側がロープ取り付け部に固定される。また、親綱６０１の他端側についても、同様にして中央領域のロープ取り付け孔１１６に通されて固定される。これにより、実施の形態１の場合と同様に、親綱６０１をロープ取り付け部に取り付けることができる。そして、実施の形態５にかかる太陽電池システムは、実施の形態１の場合と同様の点検方法により、屋根面８で安全に太陽電池モジュール２または太陽電池モジュール固定装置１４の点検を実施することができ、屋根面８からの墜落事故を防止できる。
【００５７】
図１３および図１４は、本発明の実施の形態５にかかる太陽電池システム１における架台カバー１１の他の例を示す斜視図である。図１３および図１４に示される架台カバー１１は、ロープ取り付け孔１１６が形成されることによってロープ取り付け部が設けられている。図１２に示される架台カバー１１に設けられたロープ取り付け孔１１６が丸孔であるのに対して、図１３に示される架台カバー１１に設けられたロープ取り付け孔１１６は、角孔とされている。角孔の方が丸孔よりも孔加工は難しいが、ロープ６０１の取り付けが容易になる、という効果がある。
【００５８】
また、図１４に示される架台カバー１１は、太陽電池モジュール２の上面から突出して屈曲した１箇所以上の屈曲部１１７を有することによってロープ取り付け部が構成されている。屈曲部１１７は、架台カバー１１における長手方向の中央領域を垂直方向上側に折り曲げ加工を施して形成されており、屈曲部１１７の下部にロープ６０１を通すことが可能とされている。これにより、図１４に示される架台カバー１１は、ロープ６０１が通される領域が図１２および図１３に示される架台カバー１１よりも大きいため、ロープ６０１の取り付けがさらに容易になる、という効果がある。
【００５９】
実施の形態６．
図１５は、本発明の実施の形態６にかかる太陽電池システムにおける架台３を屋根棟部から見た側面図である。本実施の形態６にかかる太陽電池システムが、実施の形態１にかかる太陽電池システム１と異なる点は、ロープ取り付け部を架台３の架台側面３０６に設けた点である。本実施の形態６にかかる太陽電池システムにおけるその他の構成は、実施の形態１にかかる太陽電池システム１と同じである。すなわち、本実施の形態６にかかる太陽電池システムは、ロープ取り付け金具４を備えず、ロープ取り付け部が架台３の架台側面３０６に設けられている点以外は、実施の形態１にかかる太陽電池システム１と同じ構成を有するため、図１５では、架台カバー１１のみを示している。
【００６０】
実施の形態６にかかる架台３には、長手方向の端部側および中央領域にロープ取り付け部を構成するロープ取り付け孔３０７が設けられて、架台３にロープ取り付け部が設けられている。架台３において、端部側では、ロープ取り付け部を構成するロープ取り付け孔３０７を１箇所に設け、中央領域ではロープ取り付け孔３０７を２箇所設けている。
【００６１】
親綱６０１の一端側は、端部側のロープ取り付け孔３０７に通され、さらに親綱６０１の一端側の先端部に取り付けられたロープ固定金具６０３の孔に通される。そして、親綱６０１の他端側が引っ張られることで、親綱６０１の一端側がロープ取り付け部に固定される。また、親綱６０１の他端側についても、同様にして中央領域のロープ取り付け孔３０７に通されて固定される。これにより、実施の形態１の場合と同様に、親綱６０１をロープ取り付け部に取り付けることができる。そして、実施の形態６にかかる太陽電池システムは、実施の形態１の場合と同様の点検方法により、屋根面８で安全に太陽電池モジュール２または太陽電池モジュール固定装置１４の点検を実施することができ、屋根面８からの墜落事故を防止できる。
【００６２】
本実施の形態６にかかる太陽電池システムは、ロープ取り付け部を架台３の架台側面３０６に備えることで、ロープ取り付け金具４が不要となり、ロープ取り付け金具４の取り付け作業が不要となり、太陽電池システムの組み立て作業の軽減、およびロープ取り付け金具４のコスト削減が可能である。
【００６３】
図１６は、本発明の実施の形態６にかかる太陽電池システムにおける架台３の他の例を示す側面図である。図１６に示される架台３は、ロープ取り付け孔３０７が形成されることによって架台３にロープ取り付け部が構成されている。図１５に示される架台３に設けられたロープ取り付け孔３０７が丸孔であるのに対して、図１６に示される架台３に設けられたロープ取り付け孔３０７は、角孔とされている。角孔の方が丸孔よりも孔加工は難しいが、ロープ６０１の取り付けが容易になる、という効果がある。
【００６４】
なお、上記においては、ロープ取り付け部は主に孔加工を備えた実施の形態について説明したが、ロープ６を固定できる構造であればロープ取り付け部は任意に設計可能であることは言うまでもない。また、住宅に設置される太陽電池システム１を一例に説明したが、住宅以外、たとえば倉庫または工場といった、傾斜した屋根面８に設置される太陽電池システムでも同様に適用できる。
【００６５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６６】
１  太陽電池システム、２  太陽電池モジュール、３  架台、４，４１，４２  ロープ取り付け金具、４ａ  底面、４ｂ  側面、４ｃ  ロープ取り付け孔、６  ロープ、７  住宅、８  屋根面、９  締結部品、９ａ  アイボルト、１０  太陽電池モジュール固定部、１１  架台カバー、１２  下側固定部品、１３  上側固定部品、１４  太陽電池モジュール固定装置、１１１  スペーサ部、１１２  架台カバー上面、１１３  架台カバーリブ、１１４  間架台カバー、１１５  架台カバー取り付け孔、１１６，３０７  ロープ取り付け孔、１１７  屈曲部、  太陽電池パネル、２０２  フレーム、２０３  フランジ、２０４  下側フレーム、２０５  上側フレーム、２０６  フレーム側面、３０１  ガイドレール、３０２  フランジ保持面、３０３  下側フレーム保持面、３０４  架台フランジ、３０５  架台固定ネジ、３０６  架台側面、６０１  親綱、６０２  子綱、６０３  ロープ固定金具、６０４  伸縮調節器。
【図１】
2018145657.tif 000003
【図２】
2018145657.tif 000004
【図３】
2018145657.tif 000005
【図４】
2018145657.tif 000006
【図５】
2018145657.tif 000007
【図６】
2018145657.tif 000008
【図７】
2018145657.tif 000009
【図８】
2018145657.tif 000010
【図９】
2018145657.tif 000011
【図１０】
2018145657.tif 000012
【図１１】
2018145657.tif 000013
【図１２】
2018145657.tif 000014
【図１３】
2018145657.tif 000015
【図１４】
2018145657.tif 000016
【図１５】
2018145657.tif 000017
【図１６】
2018145657.tif 000018